(57)【要約】  本発明は、緊急時や慢性病の際に持っているべきとされる、最も重要な薬を保管しておくための従来型の固定された救急箱を備えているインテリジェント救急箱 （１）に関し、それは、鉛直方向に伸び、好ましくは長方形断面を有するいくつかの細長い区画（２）に分けられている平行六面体の容器であり、引出し（３）と、投入読み取り装置（５．１）と、取出し読み取り装置（５．２）と、電子ヘルスカードを挿入するためのスロット（４）と、キーパッド（６）と、表示装置（７）と、制御モジュール（８）とを有している。
2013528436.tif 000002
【特許請求の範囲】
【請求項１】
緊急時や慢性病の際に持っているべきとされる、最も重要な薬を保管しておくための従来型の固定された救急箱を備えているインテリジェント救急箱 （１）であって、
鉛直方向に伸び、好ましくは長方形断面を有するいくつかの細長い区画（２）に分けられている平行六面体の容器であり、引出し（３）と、投入読み取り装置（５．１）と、取出し読み取り装置（５．２）と、電子ヘルスカードを挿入するためのスロット（４）と、キーパッド（６）と、表示装置（７）と、制御モジュール（８）とを有していることを特徴とするインテリジェント救急箱 （１）。
【請求項２】
上記電子カードが上記スロット（４）に挿入されるたびに、上記電子カードの上記マイクロチップにインテリジェント救急箱 の中身が記録されることを特徴とする請求項１に記載のインテリジェント救急箱 。
【請求項３】
上記インテリジェント救急箱の中身が、ワイヤレスネットワークまたは任意の他の種類の支援を通じて遠隔アクセス可能な上記制御モジュールに永久に登録されることを特徴とする上記先行請求項に記載のインテリジェント救急箱 。
【請求項４】
上記薬の出し入れの流れが好ましくは縦であり、かつ、上から底に向かうことを特徴とする上記先行請求項に記載のインテリジェント救急箱 。
【発明の詳細な説明】
【発明の詳細な説明】
【０００１】
〔イントロダクション〕
本発明の目的は、救急箱の所有者または管理者にとって非常に便利であるだけでなく、患者として所有者に対して医療を提供する責任がある医者や団体にとっても非常に有用であるような、中身を制御的にチェック可能な救急箱である。
【０００２】
この救急箱を利用できるのは、一般的に、マイクロチップ搭載カードを持っている所有者に制限され、薬の入手可能性は、特効薬のいかなる投入または取出しも電子バーコードリーダーの存在の結果として登録されることである。
【０００３】
本発明によって、
ａ）救急箱の中身の正確な知識
ｂ）主治医による患者の正しいチェック
ｃ）新しい処方薬が、すでに救急箱にある薬と重ならないように、救急箱の中身を完全に制御することによる公衆衛生行政のための薬の節約
が可能となる。
【０００４】
さらに進んだ一般的な施行段階において、発明者は、本発明を実施することが、処方箋の変更または患者の死亡のためにすでに服用されなくなった薬を管理することを可能にするので、地方および州、地域または国家レベルの公衆衛生団体にとって必要とされるほど重要であるという理由によって、本発明が公共の福祉であると考えている。この場合、余った薬を管理することは、同様の治療を受ける他の患者が、それらの余った薬を使用するための薬の預金銀行のようなものを生み出すだろう。
【０００５】
このリソースの最適化は、疑いなく、さらなる持続可能なヘルスシステムへとつながるものである。
【０００６】
〔発明の技術分野〕
本発明は、家庭利用または小企業の商業目的ための救急箱の設計、生産、および供給につながる、医学および公衆衛生に関する、人類に必要不可欠なものに関する分野、健康に関すること、保護および娯楽に関する。
【０００７】
〔発明の背景〕
今日、救急箱は、個人の家庭、ビジネス、スポーツ団体、中小企業および大企業にとってあった方が良いもののみならず、国家の、地域の、または地方の政府によって必要とされるものである。また、自動車運転手や探検家などのある種の運動競技者は、医学的な応急手当を必要とする小さな緊急事態のために、あたりまえのように救急箱を持ち運んでいる。
【０００８】
換言すれば、簡単に持ち運び可能というニーズを満たす小さな救急箱と、個人の家、オフィスまたは関連する団体のどこかに通常取付けられている大きな救急箱とがある。
【０００９】
この場合において、ある発明は、ほかのやり方ではなく、けがをしている人または患者に救急箱を持っていくことができるように、壁に固定された救急箱を取り外すことができるようにしている。
【００１０】
その他の既存の解決方法においては、形状、運搬の容易さ、特に配置の順番を維持し、割れ物が無欠のままでいられるような薬の内部構成の点から見て申し分のないケース型救急箱に関するものがある。
【００１１】
また、ケースを閉じるための装置に関するもの、一般的に権限のないものによって救急箱が開けられるのを防ぐこと、中身の損失または窃盗を防ぐこと、といったことが記述された従来発明もある。
【００１２】
薬物投与の分野におけるその他の発明は、アルツハイマー病を有する人々のためのプログラム可能な装置を含んでいる。これらの装置は管理人によってプログラムされ、患者が正しい時間に必要な錠剤を服用することができるように、あらかじめ決められた時間に光や音波による警告信号を伴って自動的に開くようになっている。
【００１３】
これらのプログラム可能な装置はすでに一般の人々によって入手可能であり、スペイン特許商標庁によって正式に保護されたモデルが存在する。
【００１４】
市場において今日見つからないのは、本発明のように、救急箱内の入手可能な薬の量や種類だけではなく、いつでもそれらの薬の使用期限を知ることができるような中身の自動制御が可能な救急箱である。
【００１５】
以下に見られるように、提案された救急箱には、正しい中身をいつでも知ることができるという顕著な利点がある；さらには、救急箱をチェックするだけで、ある特効薬が入手可能か、または、同様の効能を持つ他の特効薬をかわりに入手できるかということを主治医が知ることができるので、薬の無駄遣いを防げる。
【００１６】
上記イントロダクションに記述したとおり、薬の有利な利用に関するヘルスシステムの真の最適化を実現するように、このタイプの救急箱は、地方、州、地域、または国家レベルにおいて十分に利用可能なものとなることが理解される。
【００１７】
当局は既に、もはや必要のない薬または使用期限を過ぎた薬が薬局または薬の収集所に保管されていることについて、公衆に周知している。
【００１８】
多くの場合、患者が各箱の中身のわずかな部分だけしか使わないということが証明されているので、薬箱の製薬会社に対して、より少ない錠剤のパッケージを提供するようにとの提案もあることがわかっている。
【００１９】
したがって、本発明は、本発明の救急箱を利用すると決めた人々、団体または国にとって相当の利点を生み出す新しい考えを含むことが、理解される。
【００２０】
〔発明の記述〕
本発明は、薬のすべての投入および取出しを制御するための包括的な電子制御装置を備えている、新しく考え出された救急箱に関する。本発明の救急箱を使用するためには、使用者のヘルスカードが必要とされ、救急箱を使用するための目的で設置されたスロットにそのヘルスカードを挿入する必要があるという特徴点を、本発明は有している。既に普及している上記カードは、人の病歴やその要因を永久に保存することができる集積回路を備えており、銀行カード、クレジットカード、またはデビットカードに似たカードによって構成されている。
【００２１】
換言すれば、自身が所持する救急箱から薬を取り出すには、使用者は第１段階として、自身のヘルスカードと個人のセキュリティ番号であるキーとを提示しなければならず、それによって、救急箱を開ける権限、または、その小さな医薬品貯蔵庫にある薬を自動的に調剤する権限が与えられる。
【００２２】
本発明のもう一つの特徴は、センサーの前を通った薬の種類、残数および使用期限を読み取るためのバーコードリーダーが救急箱内に設けられていることである。
【００２３】
最後に、薬の正しい情報を提示したり、起こりうる欠陥を修正するための、英数字ディスプレイを有するキーパッドがある。
【００２４】
これらすべての要素は、救急箱の中にある薬の内容およびその相補的な情報がヘルスカードのマイクロチップに永久に登録されるので、医者は使用者の健康パラメーターを知ることができ、また、保管された薬が不定期または定期の訪問時に入手可能かどうかを知ることができるという事実を生み出す正しい操作のため、当然に相互につながっている。もし医者が、ある種の特効薬を処方する必要があると考えるのならば、その特効薬が救急箱の中にあるかを確認でき、可能ならば、同様の効能を持った薬の処方をすることさえできる。
【００２５】
このシステムでは、薬の無駄な処方を防ぐことができ、薬の使用が最適化される。
【００２６】
中身の制御に関して、より簡素な代替案は、救急箱の所有者が、入れるかまたは取り出すかのいずれにせよ、いかなる箱を操作するときにも、同じものがバーコードリーダーの前を系統的に通るように、所有者に責任を持たせるものである。この操作およびパッケージの決められた状態によって、薬の種類、残った丸薬または錠剤の数、および使用期限を制御することができる。
【００２７】
その他のより発展させた選択肢では、救急箱が、薬が前を通った時に自動的に中身を読み取るバーコードリーダーを有する、薬を消費するための調剤経路と、もうひとつのリーダーと共に配された、薬を補充するためのもう一つの受け取り経路とを備えている。この解決案を実行に移すにはいくつかの方法があり得るが、提案された方法は、救急箱が、保管される薬の種類と同じくらいの多さの経路において、水平および鉛直方向に区分けされているものである。
【００２８】
したがって、投入または取出しの読み取りに関する責任は、使用される薬の数および救急箱に含まれる薬の性質に関して完全に保証する救急箱そのものにある。
【００２９】
〔図面の簡単な説明〕
以下の意味を持つ図面が包含されている：
図１は、救急箱の基本形状を、平面図、立面図および側面図を含む三面図で描いている。
【００３０】
次のものが示されている。
１．    救急箱
２．    区画
３．    引出し
４．    スロット
５．１．投入読み取り装置
５．２．取出し読み取り装置
６．    キーパッド
７．    表示装置
８．    制御モジュール
〔好ましい実施形態の記述〕
発明者によって好まれる実施形態に係る、家、オフィス、工場、店などにある最も重要な薬を保管するための通常の救急箱から構成されている、インテリジェント救急箱（１）（図１）は、インテリジェント救急箱（１）の箱が、好ましくは長方形の断面を有し、鉛直方向に伸び、１つまたはいくつかの箱または医薬製品がそれぞれに保管されることが意図されている、いくつかの細長い区画（２）に分けられているという特徴を有する。救急箱（１）は、薬の箱を、上部を通してだけ区画（２）に投入でき、かつ、薬を容易に収集するための引出し（３）のある下部を通して重力によってのみ取り出すことができるように、設計されている。反対方向への薬の流れは可能ではない。
【００３１】
救急箱（１）には、薬箱上部左（または右）側に組み込まれているバーコードによって製品を認識する投入読み取り装置（５．１）が備えられている。
【００３２】
同様にかつ相補的に、救急箱（１）下部左（または右）側に位置する、上述したものと同じ取出し読み取り装置（５．２）が備えられている。
【００３３】
さらに、救急箱（１）は、救急箱の所有者のものであって、電子アーカイブによって無数のデータを永久保存できるマイクロチップが与えられたヘルスカードを挿入するためのスロット（４）を、どの場所に配置されていてもよいのだが、救急箱前面に有している。
【００３４】
救急箱はまた、違った場所に配置されることもできるが、キーパッド（６）および表示装置（７）を救急箱前面に備えている。
【００３５】
最後に、インターネット接続付きの制御モジュール（８）が、救急箱右側または任意の他の場所に配置されている。
【００３６】
すべての電子機器が相互に接続されたこの配置にとって、救急箱（１）の操作は、以下に記述されるように簡単である。
【００３７】
鉛直方向を示すそれぞれの区画（２）の大きさは、保管される薬箱によって規定されなければならないため、指定されていない区画に間違えて薬を補充することを防ぐことができる、ということに留意すべきである。
【００３８】
選択された特効薬を救急箱に補充することが、第１になされなければならない。その後、所有者に対応するセキュリティコードをキーパッド（６）上で押下し、スロット（４）にヘルスカードを挿入することが不可欠である。
【００３９】
いったん操作が電子的に認証されると、救急箱（１）上部を通して投入されたどのような薬も投入読み取り装置（５．１）によって登録される。薬箱をデザインしラベルする特定の状況では、それぞれの箱が含む錠剤または丸薬の数量および薬の使用期限のようなその他のデータが登録され得る。
【００４０】
救急箱に含まれるどんな薬を取り出すためにも同様の操作を行うことが了解される。その後、キーパッド（６）にキー入力をし、正しい要求が行われたかどうか表示装置（７）をチェックすることが不可欠である。選択された薬が放出され（機械的な放出機構は、本発明の目的ではない）、重力によって引出し（３）に落ち、そこから直接または引出し（３）自体を引きだして薬を取り出すことができる。薬が取出し読み取り装置（５．２）を通るとき、対応する識別および読み取りが、取り出された単体を全体から差し引くことによって行われる。
【００４１】
対応する箱の一用量、二用量またはそれ以上がいったん服用されると、使用者は、備蓄のために再び薬箱を救急箱上部から投入し、それによって投入読み取り装置（５．１）が、既存の単体に追加し、救急箱（１）の新しい中身をヘルスカードに登録する。
【００４２】
ヘルスカードに登録されたデータは、カードを読み取ることのできる主治医または他のいかなる医者によって、論理的に知られ得る。このことにより、所有者の健康情報および対応する処方箋の発行を容易にできる救急箱の中身を知ることができ、既に救急箱（１）にある医薬品が処方されるのを防ぐことができる。救急箱の実際の中身次第で、医者は、医者が最初に考えた同様の効能を持つ代わりの薬を処方することができる。
【００４３】
発明者は、対応する健康機関の権限ある人員が、一般の関心に適切だと思われるよう管理できるように内容物を正確に知るかもしれないように、正確な薬内容物をいつでも登録している制御モジュール（８）を備えた救急箱（１）がワイヤレスネットワークまたは任意の他の支援を通して評価可能な、さらに進んだ選択肢を考える。
【００４４】
薬箱のラベリングに関しては、投入読み取り装置（５．１）および取出し読み取り装置（５．２）の前に配置されることが可能な２つの反対の面に、適切なバーコードがラベルされた角箱が必要であることが理解される。
【００４５】
アイデアを簡略化してみると、発明者は、この救急箱の代替操作として、救急箱の扉を物理的に開ける前に、手動で薬のそばに読み取り機を通し、再び薬が保管されるときに、手動で再度薬のそばに読み取り機を通すことを考えるが、しかし、使用者の不注意または使用者の誠意の欠落による多くのミスをシステムが含みうることが理解される。
【００４６】
救急箱（１）の大きさの点から考えてみると、小さな救急箱（１）が一個人または家族によって個人の家で使用されることが予見され、個々人は自身のヘルスカードを使用しなければならないことが理解される。
【００４７】
それにもかかわらず、ビジネス、産業または工場において使用されるより大きな救急箱を設計することは、除外されない。
【００４８】
当業者が本発明を発展させ、本発明の目的を実行するばかりでなく、本発明から引き出される範囲および利点を理解できるように、本明細書の内容をより豊富なものにすることは、必要ないと考える。
【００４９】
しかしながら、本発明は好ましい実施形態によって記述されていることが理解されなければならないため、本発明の基礎をいかようにも変更せずに修正を加えることは可能であり、そのような修正は形状、大きさおよび／または加工材料に影響する；換言すれば、本発明の好ましい記述において使用された用語は広義なかつ非制限のものとして考えられるべきである、ことが理解されねばならない。
【図面の簡単な説明】
【００５０】
【図１】救急箱の基本形状を、平面図、立面図および側面図を含む三面図で描いている図である。
【図１】
2013528436.tif 000003
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
自身を識別するためのバーコードがラベルされている薬箱を保管するための救急箱を備えているインテリジェント救急箱 （１）であって、
上記薬の出し入れの流れが鉛直であり、かつ、上から底に向かっており、
インテリジェント救急箱 （１）は、鉛直方向に伸びたいくつかの細長い区画（２）に分けられている平行六面体の容器を備えており、薬収集のための受け取り引出し（３）と、
上記箱がその前を通り過ぎたときに上記薬を自動的に識別する、上記インテリジェント救急箱 （１）の下部設けられた取出しバーコードリーダー（５．２）と、電子カードを挿入するためのスロット（４）と、キーパッド（６）と、表示装置（７）と、制御モジュール（８）とを有しており、
上記インテリジェント救急箱 （１）の上部を通じて導入されたいかなる薬をも自動的に識別する投入バーコードリーダー（５．１）が上記インテリジェント救急箱 （１）の上部に備えられていることを特徴とし、
上記制御モジュールは、
上記投入バーコードリーダー（５．１）および上記取出しバーコードリーダー（５．２）によって提供された情報と共に上記薬の全ての投入および取出しを制御することによって、上記インテリジェント救急箱 （１）の正確な上記薬の中身をいつでも自動的に登録し、
上記インテリジェント救急箱 （１）の上記薬の中身を上記スロット（４）に挿入された上記電子カードのマイクロチップに記録する
ように構成されていることを特徴とするインテリジェント救急箱 （１）。
【請求項２】
上記薬箱は、上記薬の有効期限日の情報を含むバーコードによってラベルされており、
上記制御モジュール（８）は、
上記投入バーコードリーダー（５．１）の読み取りを通じて、上記インテリジェント救急箱 （１）に保存された上記薬の上記有効期限日を自動的に登録し、
上記インテリジェント救急箱 （１）に保存された上記薬の上記有効期限日を、上記スロット（４）に挿入された上記電子カードのマイクロチップに記録する
ようにさらに構成されていることを特徴とする請求項１に記載のインテリジェント救急箱 。
【請求項３】
上記制御モジュール（８）が、ワイヤレスネットワークまたは任意の他の種類の支援を通じて遠隔アクセス可能であることを特徴とする上記先行請求項に記載のインテリジェント救急箱 。
【国際調査報告】
2013528436.tif 000004
2013528436.tif 000005
2013528436.tif 000006
2013528436.tif 000007
2013528436.tif 000008
2013528436.tif 000009
2013528436.tif 000010
2013528436.tif 000011
2013528436.tif 000012
2013528436.tif 000013